(57)【要約】【課題】画像の品質を向上させた表示装置を提供する。【解決手段】本発明による表示装置は、主パネルユニットと主パネルユニットに対向して配置された副パネルユニットとを含む表示パネルアセンブリと、表示パネルアセンブリに光を供給するバックライトアセンブリとを含み、主パネルユニットはカラーフィルタを用いて有彩色及び無彩色の画像を表示し、副パネルユニットは無彩色の画像のみを表示する。これにより、本発明による表示装置は、高いコントラスト比を有する画像を表示できる。【選択図】図２
2008276156.tif 000002
【特許請求の範囲】
【請求項１】
表示装置において、
主パネルユニットと前記主パネルユニットに対向して配置された副パネルユニットとを含む表示パネルアセンブリと、
前記表示パネルアセンブリに光を供給するバックライトアセンブリと、
を含み、
前記主パネルユニットは、カラーフィルタを用いて有彩色及び無彩色の画像を表示し、前記副パネルユニットは、無彩色の画像のみを表示することを特徴とする表示装置。
【請求項２】
前記主パネルユニットは、薄膜トランジスタを用いた能動駆動型の液晶表示パネルであることを特徴とする請求項１に記載の表示装置。
【請求項３】
前記主パネルユニットの背面に配置された第１の偏光板と、前記主パネルユニットの前面に配置された第２の偏光板とをさらに含むことを特徴とする請求項２に記載の表示装置。
【請求項４】
前記主パネルユニットは、垂直配向モードの液晶表示パネルであることを特徴とする請求項３に記載の表示装置。
【請求項５】
前記主パネルユニットは、ＴＮモードの液晶表示パネルであることを特徴とする請求項３に記載の表示装置。
【請求項６】
前記副パネルユニットは、能動駆動型の液晶表示パネル及び受動駆動型の液晶表示パネルのうちのいずれか一つであることを特徴とする請求項２に記載の表示装置。
【請求項７】
前記副パネルユニットは、黒色及び白色のみを表現することを特徴とする請求項６に記載の表示装置。
【請求項８】
前記副パネルユニットは、ゲスト−ホスト型の液晶表示パネルであることを特徴とする請求項７に記載の表示装置。
【請求項９】
前記主パネルユニットと対向する面の反対面の前記副パネルユニットに配置された第３の偏光板をさらに含むことを特徴とする請求項７に記載の表示装置。
【請求項１０】
前記副パネルユニットは、ＴＮモードの液晶表示パネルであることを特徴とする請求項９に記載の表示装置。
【請求項１１】
前記副パネルユニットは、垂直配向モードの液晶表示パネルであることを特徴とする請求項９に記載の表示装置。
【請求項１２】
前記主パネルユニットは、前記バックライトアセンブリから供給された光が通過する多数の主開口領域を有する主遮光部材を含み、
前記副パネルユニットは、前記主遮光部材の主開口領域の中央に対応する副開口領域を有する副遮光部材を含むことを特徴とする請求項１乃至請求項１１のうち、いずれか一に記載の表示装置。
【請求項１３】
前記主表示パネルは、主共通電極と、前記主遮光部材の主開口領域に対応する多数の主画素電極と、前記主共通電極及び前記主画素電極の間に配置された主液晶層とをさらに含み、
前記副表示パネルは、副共通電極と、前記副遮光部材の副開口領域に対応する多数の副画素電極と、前記副共通電極及び前記副画素電極の間に配置された副液晶層とをさらに含むことを特徴とする請求項１２に記載の表示装置。
【請求項１４】
前記多数の主画素電極及び前記多数の副画素電極はそれぞれ互いに重なる位置に配置されることを特徴とする請求項１３に記載の表示装置。
【請求項１５】
前記主パネルユニット及び前記副パネルユニットは、実質的に同一の解像度で画像を表示することを特徴とする請求項１４に記載の表示装置。
【請求項１６】
前記副パネルユニットは、前記主パネルユニットと前記バックライトアセンブリとの間に配置されることを特徴とする請求項１４に記載の表示装置。
【請求項１７】
前記主遮光部材の主開口領域は、前記副遮光部材の副開口領域より大きいことを特徴とする請求項１６に記載の表示装置。
【請求項１８】
前記主遮光部材の主開口領域は、前記主画素電極のサイズより小さいことを特徴とする請求項１７に記載の表示装置。
【請求項１９】
前記主パネルユニットは、前記副パネルユニットと前記バックライトアセンブリとの間に配置されることを特徴とする請求項１４に記載の表示装置。
【請求項２０】
前記主遮光部材の主開口領域は、前記副遮光部材の副開口領域より小さいことを特徴とする請求項１９に記載の表示装置。
【請求項２１】
前記副遮光部材の副開口領域は、前記副画素電極のサイズより小さいことを特徴とする請求項２０に記載の表示装置。
【発明の詳細な説明】
【技術分野】
【０００１】
本発明は、表示装置に係り、より詳しくは、画像の品質を向上させた表示装置に関する。
【背景技術】
【０００２】
様々な表示装置のうち、急速に発展している半導体技術により小型化及び軽量化しながら、優れた性能を有する液晶表示（ＬＣＤ：ｌｉｑｕｉｄ  ｃｒｙｓｔａｌ  ｄｉｓｐｌａｙ）パネルを備えた表示装置が、代表的な表示装置として認められている。
【０００３】
液晶表示パネルを備える表示装置は、小型化、軽量化及び低電力消費化などの利点を有するので、従来のブラウン管（ＣＲＴ：ｃａｔｈｏｄｅ  ｒａｙ  ｔｕｂｅ）の短所を克服する代替手段として注目を浴びてきた。現在では、表示装置を必要とするモバイルフォン、ＰＤＡ（ｐｅｒｓｏｎａｌ  ｄｉｇｉｔａｌ  ａｓｓｉｓｔａｎｔ）及びＰＭＰ（ｐｏｒｔａｂｌｅ  ｍｕｌｔｉｍｅｄｉａ  ｐｌａｙｅｒ）などのような小型製品のみならず、中・大型製品のモニター及びＴＶなどにも設けられて用いられるなど、表示装置を必要とするすべての情報処理機器に設けられ、用いられている。
【０００４】
しかしながら、液晶表示パネルを備える表示装置は、コントラスト比（階調比）を高めるのに限界があった。また、液晶表示パネルを備える表示装置の大型化に伴い、高いコントラスト比が要求される。したがって、従来の表示装置は、コントラスト比を向上させるために、偏光子や機能性フィルムを用いた。しかしながら、かかる従来の方法のみでは、１００００:１以上の高いコントラスト比が確保しにくいという問題点があった。
【発明の開示】
【発明が解決しようとする課題】
【０００５】
したがって、本発明の目的は、前記問題点を解決するためのものであって、画像の品質を向上させた表示装置を提供することである。
【課題を解決するための手段】
【０００６】
前記目的を達成するための本発明による表示装置は、主パネルユニットと主パネルユニットに対向して配置された副パネルユニットとを含む表示パネルアセンブリと、表示パネルアセンブリに光を供給するバックライトアセンブリとを含み、主パネルユニットは、カラーフィルタを用いて有彩色及び無彩色の画像を表示し、副パネルユニットは、無彩色の画像のみを表示する。
【０００７】
主パネルユニットは、薄膜トランジスタ（ＴＦＴ：ｔｈｉｎ  ｆｉｌｍ  ｔｒａｎｓｉｓｔｏｒ）を用いた能動駆動（ＡＭ：ａｃｔｉｖｅ  ｍａｔｒｉｘ）型の液晶表示パネルであってもよい。
【０００８】
表示装置は、主パネルユニットの背面に配置された第１の偏光板と、主パネルユニットの背面に配置された第２の偏光板とをさらに含んでもよい。
【０００９】
主パネルユニットは、垂直配向モード（ＶＡモード：ｖｅｒｔｉｃａｌｌｙ  ａｌｉｇｎｅｄ  ｍｏｄｅ）の液晶表示パネルであってもよい。
【００１０】
主パネルユニットは、ＴＮモード（ｔｗｉｓｔｅｄ  ｎｅｍａｔｉｃ  ｍｏｄｅ）の液晶表示パネルであってもよい。
【００１１】
副パネルユニットは、能動駆動型の液晶表示パネル及び受動駆動（ＰＭ：ｐａｓｓｉｖｅ  ｍａｔｒｉｘ）型の液晶表示パネルのうちのいずれか一つであってもよい。
【００１２】
副パネルユニットは、黒色及び白色のみを表現してもよい。
【００１３】
副パネルユニットは、ゲスト−ホスト（ｇｕｅｓｔ-ｈｏｓｔ）型の液晶表示パネルであってもよい。
【００１４】
表示装置は、主パネルユニットと対向する面の反対面の副パネルユニットに配置された第３の偏光板をさらに含んでもよい。
【００１５】
副パネルユニットは、ＴＮモードの液晶表示パネルであってもよい。
【００１６】
副パネルユニットは、垂直配向モードの液晶表示パネルであってもよい。
【００１７】
表示装置において、主パネルユニットは、バックライトアセンブリから供給された光が通過する多数の主開口領域を有する主遮光部材を含み、副パネルユニットは、主遮光部材の主開口領域の中央に対応する副開口領域を有する副遮光部材を含んでもよい。
【００１８】
主表示パネルは、主共通電極と、主遮光部材の主開口領域に対応する多数の主画素電極と、主共通電極及び主画素電極の間に配置された主液晶層とをさらに含み、副表示パネルは、副共通電極と、副遮光部材の副開口領域に対応する多数の副画素電極と、副共通電極及び副画素電極の間に配置された副液晶層とをさらに含んでもよい。
【００１９】
多数の主画素電極及び多数の副画素電極はそれぞれ互いに重なる位置に配置されてもよい。
【００２０】
主パネルユニット及び副パネルユニットは、実質的に同一の解像度で画像を表示してもよい。
【００２１】
副パネルユニットは、主パネルユニットとバックライトアセンブリとの間に配置されてもよい。
【００２２】
主遮光部材の主開口領域は、副遮光部材の副開口領域より大きくてもよい。
【００２３】
主遮光部材の主開口領域は、主画素電極のサイズより小さくてもよい。
【００２４】
主パネルユニットは、副パネルユニットとバックライトアセンブリとの間に配置されてもよい。
【００２５】
主遮光部材の主開口領域は、副遮光部材の副開口領域より小さくてもよい。
【００２６】
副遮光部材の副開口領域は、副画素電極のサイズより小さくてもよい。
【発明の効果】
【００２７】
本発明によれば、表示装置は画像の品質を向上させることができる。すなわち、表示装置は、相異なる役割を果たす一対のパネルユニットを備えた表示パネルアセンブリを用いて画像を表示する。詳しくは、表示パネルアセンブリは、実質的に画像を表示する主パネルユニットと、主パネルユニットで表示される画像のコントラスト比を向上させる役割を果たす副パネルユニットとを含む。したがって、表示装置は、相対的に高いコントラスト比を有する画像が表示できる。
【００２８】
また、表示パネルアセンブリで表示される画像のコントラスト比を向上させるとともに、光もれ現象を抑制し、視認性を高めて視野角が向上できる。
【発明を実施するための最良の形態】
【００２９】
以下、図面を参照して、本発明の実施形態に対して本発明の属する技術分野における通常の知識を持つ者が容易に実施するように、詳しく説明する。本発明は相異なっている形態として実現されることができ、後述する実施形態に限定されない。
【００３０】
本発明を明確に説明するために、説明と関係ない部分は省略し、明細書の全体にかけて同一または類似した構成要素については、同一の参照符号をつける。
【００３１】
また、後述する実施形態において、同一の構成を有する構成要素については、同じ符号を用いて代表的に第１の実施形態で説明し、その他の実施形態では、第１の実施形態と異なっている構成のみについて説明する。
【００３２】
さらに、図面においては、多数の層及び領域を明らかに表現するために、その厚さを拡大して表示した。本明細書において、類似した部分については、同一の参照符号をつけた。層、膜、領域及び板などが他のものの「上に」位置するというとき、これは、他のものの「真上に」位置する場合のみならず、その中間に他のものが存在する場合も含む。
【００３３】
図１に示したように、本発明の第１の実施形態による表示装置９０１は、表示パネルアセンブリ５０と、表示パネルアセンブリ５０に光を供給するバックライトアセンブリ７０とを含む。
【００３４】
バックライトアセンブリ７０は、表示パネルアセンブリ５０に実質的に面光源に近い光を均一に供給する。バックライトアセンブリ７０は、ランプユニットと、ランプユニットから発生した光を拡散させる光学部材とを含んでもよい。ランプユニットとしては、冷陰極蛍光ランプ（ＣＣＦＬ：ｃｏｌｄ  ｃａｔｈｏｄｅ  ｆｌｕｏｒｅｓｃｅｎｔ  ｌａｍｐ）、外部電極蛍光ランプ（ＥＥＦＬ：ｅｘｔｅｒｎａｌ  ｅｌｅｃｔｒｏｄｅ  ｆｌｕｏｒｅｓｃｅｎｔ  ｌａｍｐ）及び熱陰極蛍光ランプ（ＨＣＦＬ：ｈｏｔ  ｃａｔｈｏｄｅ  ｆｌｕｏｒｅｓｃｅｎｔ  ｌａｍｐ）などが用いられる。
【００３５】
また、バックライトアセンブリ７０は、面光源形態のランプユニットまたは発光ダイオード（ＬＥＤ：Ｌｉｇｈｔ  Ｅｍｉｔｔｉｎｇ  Ｄｉｏｄｅ）及び無機発光素子などを用いて構成されてもよい。その他にも、本発明の第１の実施形態による表示装置９０１は、公知のすべての種類のバックライトアセンブリ７０を用いることができる。
【００３６】
表示パネルアセンブリ５０は、主パネルユニット５１と、主パネルユニット５１に対向して配置される副パネルユニット５２とを含む。また、表示パネルアセンブリ５０は、主パネルユニット５１の背面に配置される第１の偏光板４１０と、主パネルユニット５１の前面に配置される第２の偏光板４２０とをさらに含む。ここで、第１の偏光板４１０は、主パネルユニット５１と副パネルユニット５２との間に配置される。
【００３７】
主パネルユニット５１は、第１の主パネル１００と、第１の主パネル１００と対向して配置される第２の主パネル２００と、第１の主パネル１００と第２の主パネル２００との間に配置される主液晶層３００とを含む。また、主パネルユニット５１は、第１の主パネル１００と第２の主パネル２００とを合着して主液晶層３００を密閉させる主シーラント３５０をさらに含む。さらに、主パネルユニット５１は、第１の主パネル１００及び第２の主パネル２００のうち、いずれか一つに形成されたカラーフィルタ２３０（図２を参照）を含み、有彩色及び無彩色の画像を表示する。
【００３８】
副パネルユニット５２は、第１の副パネル６００と、第１の副パネル６００と対向して配置される第２の副パネル７００と、第１の副パネル６００と第２の副パネル７００との間に配置される副液晶層８００とを含む。また、副パネルユニット５２は、第１の副パネル６００と第２の副パネル７００とを合着して副液晶層８００を密閉させる副シーラント８５０をさらに含む。さらに、副パネルユニット５２は、無彩色の画像のみを表示する。例えば、本発明による第１の実施形態において、副パネルユニット５２は、黒色及び白色のみを表示する。
【００３９】
主パネルユニット５１と副パネルユニット５２とは、実質的に同一の解像度を用いて画像を表示する。また、主パネルユニット５１の多数の画素と副パネルユニット５２の多数の画素とは、一対一で対応する。ここで、画素は画像を表示する最小の単位を意味する。また、副パネルユニット５２は、主パネルユニット５１と同期して駆動する。
【００４０】
このような構成により、主パネルユニット５１は実施的に多彩な画像を表示し、副パネルユニット５２は主パネルユニット５１で表示される画像の階調比、すなわち、コントラスト比を向上させる役割を果たす。
【００４１】
図２を参照して表示パネルアセンブリ５０について詳しく説明する。
【００４２】
まず、主パネルユニット５１について詳しく説明する。主パネルユニット５１は、薄膜トランジスタ（ＴＦＴ）５０１を用いた能動駆動（ＡＭ：ａｃｔｉｖｅ  ｍａｔｒｉｘ）型の液晶表示パネルである。図２においては、実施形態として５枚のマスク工程で形成されたアモルファスシリコン（ａ-Ｓｉ）薄膜トランジスタ５０１を採用した主パネルユニット５１を示している。しかしながら、主パネルユニット５１は、相異なっている形態の薄膜トランジスタ５０１を用いてもよい。
【００４３】
また、主パネルユニット５１は、垂直配向モード（ＶＡモード：ｖｅｒｔｉｃａｌｌｙ  ａｌｉｇｎｅｄ  ｍｏｄｅ）の液晶表示パネルである。垂直配向モードとは、電界が印加しない状態で液晶分子の長手軸を両基板に対して垂直に配向することを意味する。垂直配向モードの液晶表示パネルにおいては、一つの画素が複数のドメインに分割される。その分割された複数のドメインごとに、フリンジフィールド（ｆｒｉｎｇｅ  ｆｉｅｌｄ）を用いて垂直配向された液晶分子の横手方向を様々な方向に調節できる。したがって、垂直配向モードの液晶表示パネルは、広い視野角を確保することができる。
【００４４】
主パネルユニット５１は、第１の主パネル１００、第２の主パネル２００及び主液晶層３００を含む。
【００４５】
第１の主パネル１００は、第１の主基板部材１１０と、第１の主基板部材１１０の上に形成された多数の層とを含む。第１の主基板部材１１０は、ガラス、石英、セラミックスまたはプラスチックなどの素材を含んで透明に形成される。
【００４６】
第１の主基板部材１１０の上には、多数のゲートライン１２１と、ゲートライン１２１から分岐した多数のゲート電極１２４とを含むゲート配線が形成される。また、図示してはいないが、ゲート配線は、多数の第１の蓄積電極ラインをさらに含んでもよい。
【００４７】
ゲート配線１２１，１２４は、Ａｌ、Ａｇ、Ｃｒ、Ｔｉ、Ｔａ、Ｍｏなどの金属またはこれらを含む合金などで構成される。図５において、ゲート配線１２１，１２４は単一層として示しているが、ゲート配線１２１，１２４は物理化学的特性に優れたＣｒ、Ｍｏ、Ｔｉ、Ｔａまたはこれらを含む合金の金属層と、比抵抗の小さいＡｌ系列またはＡｇ系列の金属層とを含む多重層で形成されてもよい。その他にも、様々な金属または導電体でゲート配線１２１，１２４を構成することができ、同一の食刻（エッチング）条件でパターン化が可能な多層膜であれば、一層好ましい。
【００４８】
ゲート配線１２１，１２４の上には、窒化珪素（ＳｉＮｘ）などで構成されるゲート絶縁膜１３０が形成される。
【００４９】
ゲート絶縁膜１３０の上には、ゲートライン１２１と交差する多数のデータライン１６１と、データライン１６１から分岐した多数のソース電極１６５と、ソース電極１６５から離隔して配置された多数のドレイン電極１６６とを含むデータ配線が形成される。また、図示してはいないが、データ配線は、第１の蓄積電極ライン（図示せず）と重なる多数の第２の蓄積電極ラインをさらに含んでもよい。
【００５０】
データ配線１６１，１６５，１６６もゲート配線１２１，１２４と同様に、Ｃｒ、Ｍｏ、Ａｌまたはこれらを含む合金などの導電物質で構成され、単一層または多重層で形成されてもよい。
【００５１】
また、ゲート電極１２４上のゲート絶縁膜１３０の上とソース電極１６５及びドレイン電極１６６の下との一領域には、半導体層１４０が形成される。半導体層１４０はアモルファスシリコンを含んで構成される。ここで、ゲート電極１２４、ソース電極１６５及びドレイン電極１６６は、薄膜トランジスタ５０１の３電極となる。ソース電極１６５とドレイン電極１６６との間の半導体層１４０が、薄膜トランジスタ５０１のチャンネル領域となる。
【００５２】
また、半導体層１４０とソース電極１６５及びドレイン電極１６６との間には、両方の接触抵抗をそれぞれ減らすためのオーミックコンタクト部材（ｏｈｍｉｃ  ｃｏｎｔａｃｔ）１５５，１５６が形成される。オーミックコンタクト部材１５５，１５６は、シリサイドやｎ型の不純物が高濃度でドーピングされたアモルファスシリコンなどで構成される。
【００５３】
データ配線１６１，１６５，１６６の上には、プラズマ化学気相成長（ＰＥＣＶＤ：ｐｌａｓｍａ  ｅｎｈａｎｃｅｄ  ｃｈｅｍｉｃａｌ  ｖａｐｏｒ  ｄｅｐｏｓｉｔｉｏｎ）で形成されるａ-Ｓｉ:Ｃ:Ｏ、ａ-Ｓｉ:Ｏ:Ｆなどの低誘電率の絶縁物質、窒化珪素または酸化珪素などの無機絶縁物質などで構成される保護膜１７０が形成される。
【００５４】
また、図示してはいないが、保護膜１７０の上には、平坦化特性に優れて感光性を有する有機膜をさらに形成してもよい。
【００５５】
保護膜１７０の上には、多数の主画素電極１８０が形成される。主画素電極１８０は、ＩＴＯ（ｉｎｄｉｕｍ  ｔｉｎ  ｏｘｉｄｅ）やＩＺＯ（ｉｎｄｉｕｍ  ｚｉｎｃ  ｏｘｉｄｅ）などのような透明導電体を含んで構成される。
【００５６】
また、保護膜１７０は、ドレイン電極１６６の一部を露出させる多数のコンタクトホール１７１を有する。主画素電極１８０とドレイン電極１６６とは、コンタクトホール１７１を通じて互いに電気的に接続される。
【００５７】
主画素電極１８０のサイズは、実質的に画素のサイズを示す。また、主画素電極１８０は、複数のドメインに分割されるためのドメイン分割手段を有する。図２においては、主画素電極１８０の一部を切った第１の切取りパターン１８１がドメインの分割手段となる。ドメイン分割手段は、切取りパターンの他にも、突起などのように公知の様々な方法で形成されてもよい。
【００５８】
第２の主パネル２００は、第２の主基板部材２１０と、第２の主基板部材２１０の上に形成された複数の層とを含む。第２の主基板部材２１０は、第１の主基板部材１１０と同様に、ガラス、石英、セラミックスまたはプラスチックなどの素材を含んで透明に形成される。
【００５９】
また、第２の主基板部材２１０において、第１の主基板部材１１０と対向する面上には、主遮光部材２２０が形成される。主遮光部材２２０は、主画素電極１８０と対向する主開口領域２２１を備え、互いに隣接する画素の間で漏れる光を遮断する。主遮光部材２２０の主開口領域２２１は、主画素電極１８０より実質的に小さいサイズの面積を有する。さらに、主遮光部材２２０は、薄膜トランジスタ５０１の半導体層１４０に入射する外部光を遮断するために、薄膜トランジスタ５０１に対応する位置に形成されてもよい。
【００６０】
主遮光部材２２０は、光を遮断するために、金属物質で構成するか、黒色系列の顔料を添加した感光性有機物質で構成してもよい。ここで、黒色系列の顔料としては、カーボンブラックやチタンオキサイドなどが用いられてもよい。
【００６１】
主遮光部材２２０が形成されている第２の主基板部材２１０の上には、三原色を有するカラーフィルタ２３０がそれぞれ順次に配置される。この際、カラーフィルタ２３０の色は、三原色に限定されず、一色以上の様々な色としてもよい。図２において、カラーフィルタ２３０は、第２の主基板部材２１０の上に位置するが、これに限定されることではない。したがって、カラーフィルタ２３０は、第１の主基板部材１１０の上に形成されてもよい。
【００６２】
主遮光部材２２０及びカラーフィルタ２３０の上には、平坦化膜２５０が形成されるが、このような平坦化膜２５０は省略が可能である。
【００６３】
平坦化膜２５０の上には、主画素電極１８０と共に電界を形成する主共通電極２８０が形成される。主共通電極２８０も、ＩＴＯまたはＩＺＯなどのような透明な導電物質で構成されてもよい。
【００６４】
主共通電極２８０も複数のドメインに分割されるためのドメイン分割手段を有する。図２においては、主共通電極２８０の一部を切った第２の切取りパターン２８１がドメイン分割手段となる。ドメイン分割手段は、切取りパターンのみならず、突起などのような公知の様々な方法で形成されてもよい。
【００６５】
主画素電極１８０と主共通電極２８０とが互いに対向する面には、それぞれ第１の主配向膜３１０と第２の主配向膜３２０とが形成される。第１の主配向膜３１０と第２の主配向膜３２０との間には、主液晶層３００が配置される。主液晶層３００は、垂直配向型の液晶分子３０１を含む。第１の主配向膜３１０及び第２の主配向膜３２０は、主液晶層３００の液晶分子３０１を垂直に近い方向に配向させる。
【００６６】
このように形成された主パネルユニット５１は、バックライトアセンブリ７０（図１に図示）から供給された光を受けて実質的に多彩な画像を表示する。
【００６７】
次に、副パネルユニット５２について詳しく説明する。副パネルユニット５２は、能動駆動型の液晶表示パネル及び受動駆動（ＰＭ：ｐａｓｓｉｖｅ  ｍａｔｒｉｘ）型の液晶表示パネルのうちのいずれか一つである。すなわち、副パネルユニット５２は、いずれの方式で駆動されてもよい。しかしながら、副パネルユニット５２は、主パネルユニット５１と同期化が可能であるべきである。
【００６８】
また、副パネルユニット５２は、ゲスト−ホスト型の液晶表示パネルである。副パネルユニット５２は、黒色及び白色のみを表現するので、ゲスト−ホスト型の液晶表示パネルのように比較的簡単な構成をもって安価に生産可能な表示パネルが用いられてもよい。ゲスト−ホスト型の液晶表示パネルは、薄膜トランジスタ（ＴＦＴ）を用いた能動駆動方式で駆動でき、受動駆動方式による駆動も可能である。
【００６９】
さらに、副パネルユニット５２は、第１の副パネル６００、第２の副パネル７００及び副液晶層８００を含む。
【００７０】
第１の副パネル６００は、第１の副基板部材６１０と、第１の副基板部材６１０の上に形成された多数の層とを含む。第１の副基板部材６１０は、ガラス、石英、セラミックスまたはプラスチックなどの素材を含んで透明に形成される。
【００７１】
第１の副基板部材６１０の上には、副画素電極６８０が形成される。副画素電極６８０も、ＩＴＯまたはＩＺＯなどのような透明な導電物質で構成される。また、副画素電極６８０の上には、第１の副配向膜８１０が形成される。
【００７２】
図２には図示してはいないが、副パネルユニット５２が能動駆動型の場合、第１の副基板部材６１０の上には、副画素電極６８０と接続した薄膜トランジスタが形成される。また、副画素電極６８０は、各々の画素ごとに分割されて多数の電極として形成される。この際、副画素電極６８０は、それぞれ主画素電極１８０と重なる位置に形成される。
【００７３】
第２の副パネル７００は、第２の副基板部材７１０と、第２の副基板部材７１０の上に形成された多数の層とを含む。第２の副基板部材７１０もガラス、石英、セラミックスまたはプラスチックなどの素材を含んで透明に形成される。
【００７４】
さらに、第２の副基板部材７１０の上には、副共通電極７８０が形成される。副共通電極７８０も、ＩＴＯまたはＩＺＯなどのような透明な導電物質で構成される。また、副共通電極７８０の上には、第２の副配向膜８２０が形成される。
【００７５】
第１の副配向膜８１０と第２の副配向膜８２０との間には、副液晶層８００が配置される。副液晶層８００は、ゲスト−ホスト型の液晶層である。ゲスト−ホスト型の液晶層は、垂直配向したゲスト−ホスト型の液晶分子８０２と、液晶分子８０２の間に混じって配置された染料（ｄｙｅ）分子８０３とを含む。
【００７６】
ゲスト−ホスト型の液晶分子８０２は、副画素電極６８０と副共通電極７８０との間に電界がかからないとき、長手軸方向が副画素電極６８０及び副共通電極７８０に対して垂直に配列される。ゲスト−ホスト型の液晶分子が垂直に配列されると、該当画素は光をそのまま透過させて白色を表示する。
【００７７】
副画素電極６８０と副共通電極７８０との間に電界がかかると、ゲスト−ホスト型の液晶分子８０２の長手軸方向が副画素電極６８０及び副共通電極７８０に対して平行に配列される。この際、染料分子８０３は、ゲスト−ホスト型の液晶分子８０２の動きに連動して動く。ゲスト−ホスト型の液晶分子８０２が水平に配列されると、該当画素は光の透過を遮断して黒色を表示する。
【００７８】
このように形成された副パネルユニット５２は、バックライトアセンブリ７０（図１に図示）から供給された光を受けて、黒色及び白色を含む無彩色の色相で表現された画像のみを表示し、主パネルユニット５１で表示する画像のコントラスト比を向上させる役割を果たす。
【００７９】
また、主パネルユニット５１は垂直配向型の液晶表示パネルであって、偏光板４１０，４２０を必要とする。したがって、第１の偏光板４１０が第１の主パネル１００の背面に配置され、第２の偏光板４２０が第１の主パネル２００の前面に配置される。第１の偏光板４１０及び第２の偏光板４２０の偏光子は偏光軸が互いに交差する。しかしながら、副パネルユニット５２はゲスト−ホスト型の液晶表示パネルであって、偏光板４１０，４２０を必要としない。
【００８０】
さらに、本発明による第１の実施形態において、副パネルユニット５２はゲスト−ホスト型の液晶表示パネルであるが、これに限定されることはない。したがって、副パネルユニット５２は、黒色及び白色で画像が表示できれば、いずれもよい。但し、副パネルユニット５２は相対的に簡単な構造を有し、生産性の高いものが有利である。
【００８１】
このような構成により、表示装置９０１は画像の品質を向上させる。すなわち、表示装置９０１は、相異なる役割を果たす一対のパネルユニット５１，５２を備える表示パネルアセンブリ５０を通じて画像を表示する。詳しくは、表示パネルアセンブリ５０は、実質的に画像を表示する主パネルユニット５１と、主パネルユニット５１で表示される画像のコントラスト比を向上させる役割を果たす副パネルユニット５２とを含む。したがって、表示装置９０１は、相対的に高いコントラスト比を有する画像が表示できる。
【００８２】
次に、図３を参照して本発明の第２の実施形態について説明する。図３に示したように、表示装置９０２は、ＴＮモード（ｔｗｉｓｔｅｄ  ｎｅｍａｔｉｃ  ｍｏｄｅ）の液晶表示パネルを主パネルユニット５１として用いる。
【００８３】
また、主パネルユニット５１は、薄膜トランジスタ５０１を用いた能動駆動型の液晶表示パネルである。図３においては、実施形態として五枚のマスク工程で形成されたアモルファスシリコン（ａ-Ｓｉ）薄膜トランジスタ５０１を採用した主パネルユニット５１を示している。しかしながら、主パネルユニット５１は、相異なる形態の薄膜トランジスタ５０１を用いてもよい。
【００８４】
また、主画素電極１８０と主共通電極２８０とは、切取りパターンまたは突起のようなドメイン分割手段を備えない。また、主液晶層３００はＴＮ型の液晶分子３０４を含む。
【００８５】
第１の主配向膜３１０と第２の主配向膜３２０とは、液晶層３００のＴＮ型の液晶分子３０４の長手軸方向を主画素電極１８０及び主共通電極２８０に対して平行にしつつ、その中心軸をツイストさせるように配向する。このように形成されたＴＮモードの主パネルユニット５１は、垂直配向モードより視野角の狭い短所があるが、応答速度が速く、構造及び工程は簡単で生産性に優れるという長所がある。本発明の第２の実施形態による表示装置９０２は、主パネルユニット５１の視野角を向上させるために、偏光板４１０，４２０の他にも光視野角補償フィルムのような機能性フィルムをさらに含んでもよい。
【００８６】
副パネルユニット５２は、能動駆動型の液晶表示パネル及び受動駆動型の液晶表示パネルのうちのいずれか一つである。すなわち、副パネルユニット５２はいずれの方式で駆動されてもよい。しかしながら、副パネルユニット５２は、主パネルユニット５１と同期化が可能であるべきである。
【００８７】
図３においては、図２に示したように、副パネルユニット５２としてゲスト−ホスト型の液晶表示パネルを示している。副パネルユニット５２は黒色及び白色のみを表現するので、ゲスト−ホスト型の液晶表示パネルのように比較的簡単な構成をもって安価に生産可能な表示パネルが用いられてもよい。ゲスト−ホスト型の液晶表示パネルは、薄膜トランジスタ（ＴＦＴ）を用いた能動駆動方式で駆動されてもよく、受動駆動方式で駆動されてもよい。
【００８８】
また、本発明による第２の実施形態において、副パネルユニット５２は、ゲスト−ホスト型の液晶表示パネルであるが、これに限定されない。したがって、副パネルユニット５２は黒色及び白色で画像が表現できれば、いずれもよい。但し、副パネルユニット５２は、相対的に簡単な構造を備え、生産性の高いものが有利である。
【００８９】
このような構成によっても、表示装置９０２は画像の品質を向上させることができる。すなわち、表示装置９０２は、相異なる役割を果たす一対のパネルユニット５１，５２を備えた表示パネルアセンブリ５０を通じて画像を表示する。詳しくは、表示パネルアセンブリ５０は、実質的に画像を表示する主パネルユニット５１と、主パネルユニット５１で表示される画像のコントラスト比を向上させる役割を果たす副パネルユニット５２とを含む。したがって、表示装置９０２は、相対的に高いコントラスト比を有する画像を表示することができる。
【００９０】
図４を参照して本発明の第３の実施形態について説明する。図４に示したように、本発明の第３の実施形態による表示装置９０３は、表示パネルアセンブリ５０と、表示パネルアセンブリ５０に光を供給するバックライトアセンブリ７０とを含む。
【００９１】
表示パネルアセンブリ５０は、主パネルユニット５１と、主パネルユニット５１に対向して配置される副パネルユニット５２とを含む。また、表示パネルアセンブリ５０は、主パネルユニット５１の背面に配置された第１の偏光板４１０と、主パネルユニット５１の前面に配置された第２の偏光板４２０と、副パネルユニット５２の背面に配置された第３の偏光板４３０とをさらに含む。すなわち、第１の偏光板４１０は、主パネルユニット５１と副パネルユニット５２との間に配置される。ここで、第１の偏光板４１０の偏光子の偏光軸は、第２の偏光板４２０及び第３の偏光板４３０の偏光子の偏光軸と交差する。また、第２の偏光板４２０と第３の偏光板４３０とは、偏光子の偏光軸が平行である。
【００９２】
また、副パネルユニット５２は、主パネルユニット５１とバックライトアセンブリ７０との間に配置される。
【００９３】
主パネルユニット５１は、第１の主パネル１００と、第１の主パネル１００と対向して配置される第２の主パネル２００と、第１の主パネル１００と第２の主パネル２００との間に配置される主液晶層３００とを含む。また、主パネルユニット５１は、第１の主パネル１００と第２の主パネル２００とを合着して主液晶層３００を密閉させる主シーラント３５０をさらに含む。さらに、主パネルユニット５１は、第１の主パネル１００及び第２の主パネル２００のうちのいずれか一つに形成されたカラーフィルタ２３０（図５に図示）を含み、有彩色及び無彩色の画像を表示する。
【００９４】
副パネルユニット５２は、第１の副パネル６００と、第１の副パネル６００と対向して配置される第２の副パネル７００と、第１の副パネル６００と第２の副パネル７００との間に配置される副液晶層８００とを含む。また、副パネルユニット５２は、第１の副パネル６００と第２の副パネル７００とを合着して副液晶層８００を密閉させる副シーラント８５０をさらに含む。さらに、副パネルユニット５２は、無彩色の画像のみを表示する。一例として、本発明による第３の実施形態において、副パネルユニット５２は黒色及び白色のみを表示する。
【００９５】
主パネルユニット５１と副パネルユニット５２とは、実質的に同一の解像度で画像を表示する。また、主パネルユニット５１の多数の画素と副パネルユニット５２の多数の画素とは、互いに一対一で対応する。ここで、画素は画像を表示する最小の単位を意味する。このような構成により、主パネルユニット５１は実質的に多彩な画像を表示し、副パネルユニット５２は、主パネルユニットで表示される画像の階調比、すなわち、コントラスト比を向上させる役割を果たす。
【００９６】
図５を参照して表示パネルアセンブリ５０について詳しく説明する。主パネルユニット５１は、図１を参照して説明したように、薄膜トランジスタ５０１を用いた能動駆動型の液晶表示パネルである。また、主パネルユニット５１は、垂直配向モードの液晶表示パネルである。
【００９７】
主パネルユニット５１は、第１の主パネル１００、第２の主パネル２００及び主液晶層３００を含む。第１の主パネル１００は、主薄膜トランジスタ５０１及び主画素電極１８０を含む。第２の主パネル２００は、主遮光部材２２０、主共通電極２８０及びカラーフィルタ２３０を含む。ここで、カラーフィルタ２３０は、第２の主パネル２００ではなく第１の主パネル１００に形成されてもよい。
【００９８】
主遮光部材２２０は、バックライトアセンブリ７０（図４に図示）から供給された光が通過する多数の主開口領域２２１を有する。主遮光部材２２０の主開口領域２２１は、主画素電極１８０に対応する。主開口領域２２１は、主画素電極１８０より実質的に小さいサイズの面積を有する。
【００９９】
副パネルユニット５２は、ＴＮモードの液晶表示パネルである。また、副パネルユニット５２は、能動駆動型の液晶表示パネル及び受動駆動型の液晶表示パネルのうちのいずれか一つである。すなわち、副パネルユニット５２は、いずれの方式で駆動されてもよい。しかしながら、副パネルユニット５２は、主パネルユニット５１と同期化が可能であるべきである。図５においては、薄膜トランジスタ５０２を用いた能動駆動型の副パネルユニット５２を示している。
【０１００】
副パネルユニット５２は、第１の副パネル６００、第２の副パネル７００及び副液晶層８００を含む。第１の副パネル６００は、副薄膜トランジスタ５０２及び副画素電極６８０を含む。第２の副パネル７００は、副遮光部材７２０及び副共通電極７８０を含む。すなわち、副パネルユニット５２は、カラーフィルタを含まない。
【０１０１】
副遮光部材７２０は、バックライトアセンブリ７０（図４に図示）から供給された光が通過する多数の副開口領域７２１を有する。副遮光部材７２０の副開口領域７２１は、主遮光部材２２０の主開口領域２２１の中央に対応する。また、副遮光部材７２０の副開口領域７２１は、副画素電極６８０に対応する。副開口領域７２１は、副画素電極６８０より実質的に小さい面積を有する。また、主遮光部材２２０の主開口領域２２１は、副遮光部材７２０の副開口領域７２１より大きい。したがって、主画素電極１８０、主開口領域２２１、副開口領域７２１の順序に面積が小さくなる。
【０１０２】
また、主画素電極１８０と副画素電極６８０は、それぞれ一対一で対応して重なる位置に形成される。すなわち、主パネルユニット５１と副パネルユニット５２とは実質的に同一の解像度で画像を表示する。
【０１０３】
このような構成により、表示パネルアセンブリ５０で表示される画像のコントラスト比を向上させるとともに、光漏れ現象を抑制し、視認性を高めて視野角が向上できる。
【０１０４】
すなわち、副パネルユニット５２の副開口領域７２１を通過した光が、該当副開口領域７２１と対応する主パネルユニット５１の主開口領域２２１でない隣接した主開口領域２２１を通過することを抑制できる。すなわち、表示パネルアセンブリ５０を見る角度にかかわらず、主パネルユニット５１の画素と副パネルユニット５２の画素とを互いに正確に対応させることができる。
【０１０５】
コントラスト比を向上させるために、主パネルユニット５１と副パネルユニット５２とを重ねて表示パネルアセンブリ５０を形成すると、表示パネルアセンブリ５０の厚さは厚くなる。したがって、表示パネルアセンブリ５０を見る角度によっては、主パネルユニット５１の画素と副パネルユニット５２の画素とが一致しなくなる。これにより、バックライトアセンブリ７０（図４に図示）から供給されて副パネルユニット５２の一画素を通過した光が、副パネルユニット５２の一画素と対応する主パネルユニット５１の一画素でない隣接した他の画素を通過する光漏れ現象が発生しうる。
【０１０６】
しかしながら、本発明による第３の実施形態のように、主パネルユニット５１とバックライトアセンブリ７０との間に配置された副パネルユニット５２の副遮光部材７２０が有する副開口領域７２１を、主パネルユニット５１の主遮光部材２２０が有する主開口領域２２１より小さいサイズで形成すると、隣接する画素に光が漏れることが抑制できる。したがって、表示パネルアセンブリ５０を斜めに見ても、光漏れ現象の発生を抑制し、視認性を高めて本質的に視野角を向上させることが可能である。
【０１０７】
また、本発明による第３の実施形態において、主パネルユニット５１は能動駆動される垂直配向モードの液晶表示パネルであるが、これに限定されることはない。したがって、主パネルユニット５１は、ＴＮモードの液晶表示パネルを含む他種類の液晶表示パネルであってもよい。
【０１０８】
さらに、本発明による第３の実施形態において、副パネルユニット５２は、能動駆動されるＴＮモードの液晶表示パネルであるが、これに限定されることはない。したがって、副パネルユニット５２は、垂直配向モードの液晶表示パネル及びゲスト−ホスト型の液晶表示パネルを含む他種類の液晶表示パネルであってもよい。また、副パネルユニット５２は、主パネルユニット５１との同期化が可能であれば、必ずしも能動駆動される必要はなく、受動駆動されてもよい。
【０１０９】
以下、実験例を参照して本発明の第３の実施形態について詳しく説明する。図６及び図７は、本発明の第３の実施形態による実験例と比較例とを示す。このような実験例は本発明を例示するもので、本発明はこれに限定されない。
【０１１０】
（実験例）
本発明の第３の実施形態をシミュレーション実験するために、実験例における実験用の表示装置９０８は、主開口領域２２１を有する主遮光部材２２０と、第１の主パネル１００の第１の主基板部材１１０と、副開口領域７２１を有する副遮光部材７２０と、第２の副パネル７００の第２の副基板部材７１０とを、図６に示したように配置した。また、結果に影響を及ぼさないか、無視できる影響を与える構成に対する説明は省略する。ここで、副開口領域７２１は、主開口領域２２１より小さく形成される。また、図示してはいないが、実質的に画像を表示する画素と最も近いサイズを有する主画素電極１８０は、主開口領域２２１より大きく形成される。図６において、矢印は光の導波経路を示す。また、θ１は、実験例において、光漏れ現象が発生しない最小の傾斜角を示す。
【０１１１】
（比較例）
本発明の第３の実施形態をシミュレーション実験するために、比較例における比較用の表示装置９０９は、主開口領域２２１を有する主遮光部材２２０と、第１の主パネル１００の第１の主基板部材１１０と、副開口領域７２１を有する副遮光部材７２０と、第２の副パネル７００の第２の副基板部材７１０とを、図７に示したように配置した。また、結果に影響を及ぼさないか、無視できる影響を与える構成に対する説明は省略する。ここで、主開口領域２２１は、副開口領域７２１と実質的に同一に形成される。また、図示してはいないが、実質的に画像を表示する画素と最も近いサイズを有する主画素電極１８０は、主開口領域２２１より大きく形成される。図７において、矢印は光の導波経路を示す。また、θ２は、比較例において、光漏れ現象が発生しない最小の傾斜角を示す。
【０１１２】
このように、図６及び図７を比較すると、実験例より比較例で光漏れ現象が頻繁に発生することがわかる。すなわち、実験例の場合、θ１より大きい角度で斜めに見る場合、光漏れ現象は発生せず、視認性も低下しない。一方、比較例の場合、θ２より大きい角度で見なければ、光漏れ現象が発生する。θ１がθ２より小さいので、実験例は比較例より向上した視野角を有することがわかる。
【０１１３】
図８を参照して本発明の第４の実施形態について説明する。
【０１１４】
図８に示したように、本発明の第４の実施形態による表示装置９０４は、副パネルユニット５２とバックライトアセンブリ７０（図４に図示）との間に主パネルユニット５１を配置する。表示パネルアセンブリ５０は、実質的に画像を表示する主パネルユニット５１と、主パネルユニット５１の上に配置された副パネルユニット５２とを含む。
【０１１５】
また、表示パネルアセンブリ５０は、主パネルユニット５１の背面に配置された第１の偏光板４１０と、主パネルユニット５１の前面に配置された第２の偏光板４２０と、副パネルユニット５２の前面に配置された第３の偏光板４３０とをさらに含む。すなわち、第２の偏光板４２０は、主パネルユニット５１と副パネルユニット５２との間に配置される。ここで、第２の偏光板４２０の偏光子の偏光軸は、第１の偏光板４１０及び第３の偏光板４３０の偏光子の偏光軸と交差する。また、第１の偏光板４１０と第３の偏光板４３０とは、その偏光子の偏光軸が平行である。
【０１１６】
主パネルユニット５１は、第１の主パネル１００と、第１の主パネル１００と対向して配置される第２の主パネル２００と、第１の主パネル１００と第２の主パネル２００との間に配置される主液晶層３００とを含む。また、主パネルユニット５１は、第１の主パネル１００及び第２の主パネル２００のうちのいずれか一つに形成されたカラーフィルタ２３０を含み、有彩色及び無彩色の画像を表示する。
【０１１７】
副パネルユニット５２は、第１の副パネル６００と、第１の副パネル６００と対向して配置される第２の副パネル７００と、第１の副パネル６００と第２の副パネル７００との間に配置される副液晶層８００とを含む。また、副パネルユニット５２は無彩色の画像のみを表示する。例えば、本発明による第４の実施形態において、副パネルユニット５２は黒色及び白色のみを表示する。
【０１１８】
主パネルユニット５１と副パネルユニット５２とは、実質的に同一の解像度で画像を表示する。また、主パネルユニット５１の多数の画素と副パネルユニット５２の多数の画素とは、互いに一対一で対応する。ここで、画素は画像を表示する最小の単位を意味する。このような構成により、主パネルユニット５１は、実質的に多彩な画像を表示し、副パネルユニット５２は、主パネルユニットで表示される画像の階調比、すなわち、コントラスト比を向上させる役割を果たす。
【０１１９】
以下、表示パネルアセンブリ５０について詳しく説明する。
【０１２０】
主パネルユニット５１は、薄膜トランジスタ５０１を用いた能動駆動型の液晶表示パネルである。また、主パネルユニット５１は、垂直配向モードの液晶表示パネルである。主パネルユニット５１は、第１の主パネル１００、第２の主パネル２００及び主液晶層３００を含む。第１の主パネル１００は、主薄膜トランジスタ５０１及び主画素電極１８０を含む。第２の主パネル２００は、主遮光部材２２０、主共通電極２８０及びカラーフィルタ２３０を含む。ここで、カラーフィルタ２３０は、第２の主パネル２００でない第１の主パネル１００に形成されてもよい。
【０１２１】
主遮光部材２２０は、バックライトアセンブリ７０（図４に図示）から供給された光が通過する多数の主開口領域２２１を有する。主遮光部材２２０の主開口領域２２１は、主画素電極１８０に対応する。主開口領域２２１は、主画素電極１８０より実質的に小さいサイズの面積を有する。
【０１２２】
副パネルユニット５２は、ＴＮモードの液晶表示パネルである。また、副パネルユニット５２は、能動駆動型の液晶表示パネル及び受動駆動型の液晶表示パネルのうちのいずれか一つである。すなわち、副パネルユニット５２は、いずれの方式で駆動されてもよい。しかしながら、副パネルユニット５２は、主パネルユニット５１と同期化が可能であるべきである。図８においては、薄膜トランジスタ５０２を用いた能動駆動型の副パネルユニット５２を示している。
【０１２３】
副パネルユニット５２は、第１の副パネル６００、第２の副パネル７００及び副液晶層８００を含む。第１の副パネル６００は、副薄膜トランジスタ５０２及び副画素電極６８０を含む。第２の副パネル７００は、副遮光部材７２０及び副共通電極７８０を含む。すなわち、副パネルユニット５２は、カラーフィルタを含まない。
【０１２４】
副遮光部材７２０は、バックライトアセンブリ７０（図４に図示）から供給された光が通過する多数の副開口領域７２１を有する。副遮光部材７２０の副開口領域７２１は、主遮光部材２２０の主開口領域２２１に対応する。また、副遮光部材７２０の副開口領域７２１は、副画素電極６８０に対応する。副開口領域７２１は、副画素電極６８０より実質的に小さいサイズの面積を有する。また、主遮光部材２２０の主開口領域２２１は、副遮光部材７２０の副開口領域７２１より小さい。
【０１２５】
すなわち、本発明による第４の実施形態は、第３の実施形態とは異なり、副開口領域７２１が主開口領域２２１より大きい。詳しくは、主パネルユニット５１と副パネルユニット５２とのうち、バックライトアセンブリ７０に近く配置されたパネルユニットの遮光部材の開口領域のサイズが小さく形成されることが好ましい。
【０１２６】
このような構成によっても、表示パネルアセンブリ５０で表示される画像のコントラスト比を向上させるとともに、光漏れ現象を抑制し、視認性を高めて視野角を向上させうる。すなわち、主パネルユニット５１の主開口領域２２１を通過した光が、該当主開口領域２２１と対応する副パネルユニット５２の副開口領域７２１でない隣接する副開口領域７２１を通過することを抑制することができる。すなわち、表示パネルアセンブリ５０を見る角度にかかわらず、主パネルユニット５１の画素と副パネルユニット５２の画素とを互いに正確に対応させることができる。
【０１２７】
コントラスト比を向上させるために、主パネルユニット５１と副パネルユニット５２とを重ねて表示パネルアセンブリ５０を形成すると、表示パネルアセンブリ５０の全般的な厚さが厚くなる。したがって、表示パネルアセンブリ５０を見る角度によって、主パネルユニット５１の画素と副パネルユニット５２の画素とが一致しなくなる。これにより、バックライトアセンブリ７０（図４に図示）から供給されて主パネルユニット５１の一画素を通過した光が、主パネルユニット５１の一画素と対応する副パネルユニット５２の一画素でない一画素に隣接する他画素を通過する光漏れ現象が発生しうる。
【０１２８】
しかしながら、本発明による第４の実施形態のように、副パネルユニット５２とバックライトアセンブリ７０との間に配置された主パネルユニット５１の主遮光部材２２０が有する主開口領域２２１を、副パネルユニット５２の副遮光部材７２０が有する副開口領域７２１より小さく形成することによって、隣接する画素に光が漏れることを抑制することができる。したがって、表示パネルアセンブリ５０を斜めに見ても、光漏れ現象の発生を抑制する一方、視認性を高めて本質的に視野角が向上できる。
【０１２９】
また、本発明による第４の実施形態において、主パネルユニット５１は能動駆動される垂直配向モードの液晶表示パネルであるが、これに限定されることはない。したがって、主パネルユニット５１は、ＴＮモードの液晶表示パネルを含む他種類の液晶表示パネルであってもよい。
【０１３０】
さらに、本発明による第４の実施形態において、副パネルユニット５２は能動駆動されるＴＮモードの液晶表示パネルであるが、これに限定されることはない。したがって、副パネルユニット５２は、垂直配向モードの液晶表示パネル及びゲスト-ホスト型の液晶表示パネルを含む他種類の液晶表示パネルであってもよい。また、副パネルユニット５２は、主パネルユニット５１と同期化が可能であれば、能動駆動または受動駆動されてもよい。
【０１３１】
以上、本発明の実施形態について説明してきたが、本発明の属する技術分野における通常の知識を者により、特許請求の範囲の概念と範囲を逸脱しない限り、各種の修正及び変形が可能なのは明らかである。
【図面の簡単な説明】
【０１３２】
【図１】本発明の第１の実施形態による表示装置の断面図である。
【図２】図１の表示パネルアセンブリの部分拡大断面図である。
【図３】本発明の第２の実施形態による表示装置に用いられる表示パネルアセンブリの部分拡大断面図である。
【図４】本発明の第３の実施形態による表示装置の断面図である。
【図５】図４の表示パネルアセンブリの部分拡大断面図である。
【図６】本発明の第３の実施形態による実験例を示した図である。
【図７】本発明の第３の実施形態による比較例を示した図である。
【図８】本発明の第４の実施形態による表示装置に用いられる表示パネルアセンブリの部分拡大断面図である。
【符号の説明】
【０１３３】
５０      表示パネルアセンブリ
５１      主パネルユニット
５２      副パネルユニット
７０      バックライトアセンブリ
１００    第１の主パネル
１１０    第１の主基板部材
１２１    ゲートライン
１２４    ゲート電極
１３０    ゲート絶縁膜
１４０    半導体層
１６１    データライン
１６５    ソース電極
１６６    ドレイン電極
１７０    保護膜
１７１    コンタクトホール
１８０    主画素電極
２００    第２の主パネル
２１０    第２の主基板部材
２２０    主遮光部材
２２１    主開口領域
２３０    カラーフィルタ
２５０    平坦化膜
２８０    主共通電極
３００    主液晶層
３１０    第１の主配向膜
３２０    第２の主配向膜
３５０    主シーラント
４１０    第１の偏光板
４２０    第２の偏光板
４３０    第３の偏光板
５０１    薄膜トランジスタ
６００    第１の副パネル
６１０    第１の副基板部材
６８０    副画素電極
７００    第２の副パネル
７１０    第２の副基板部材
７８０    副共通電極
８００    副液晶層
８１０    第１の副配向膜
８２０    第２の副配向膜
８５０    副シーラント
【図１】
2008276156.tif 000003
【図２】
2008276156.tif 000004
【図３】
2008276156.tif 000005
【図４】
2008276156.tif 000006
【図５】
2008276156.tif 000007
【図６】
2008276156.tif 000008
【図７】
2008276156.tif 000009
【図８】
2008276156.tif 000010